(57)【特許請求の範囲】
【請求項１】
ガラスから成形されたプリズムであって、隣接する面よりも凹陥するとともに壁面が非研磨面である切欠を形成するとともに、前記壁面に微小プリズムを貼付したプリズムにおいて、前記壁面と前記微小プリズムとの間に、前記微小プリズムの貼付面よりも小さい透明板を光透過性の接着剤によって貼付し、前記壁面と前記透明板の端部と前記微小プリズムによって溝を形成したことを特徴とするプリズム。
【請求項２】
前記接着剤が、硬化時に実質的に収縮しないことを特徴とする請求項１に記載のプリズム。
【請求項３】
カメラのファインダ光学系に設けられることを特徴とする請求項１に記載のプリズム。
【請求項４】
ガラスから成形されたペンタプリズムであって、隣接する面よりも凹陥するとともに壁面が非研磨面である切欠を形成するとともに、前記壁面に微小プリズムを貼付したペンタプリズムにおいて、前記壁面と前記微小プリズムとの間に、前記微小プリズムの貼付面よりも小さい透明板を光透過性の接着剤によって貼付し、前記壁面と前記透明板の端部と前記微小プリズムによって溝を形成したことを特徴とするペンタプリズム。
【発明の詳細な説明】
【０００１】
【発明の属する技術分野】
本発明は、例えば一眼レフカメラのペンタプリズムに関し、特にファインダ内表示に用いられる光学系の構成の改良に関する。
【０００２】
【従来の技術】
従来この種の光学系として、ペンタプリズムの表面に微小プリズムを貼付し、液晶表示素子等の表示部材によって表示された情報を、微小プリズムを介してファインダに導くように構成されたものが知られている。すなわちその表示情報に対応した光線は、微小プリズムによって反射してファインダ内に導かれ、これによりファインダ内の被写体像の枠の外側に、シャッタースピード等の情報が表示される。
【０００３】
【発明が解決しようとする課題】
ところがこのような構成では、ペンタプリズムの外部から進入し、微小プリズムが貼付された表面の近傍を通る迷光が、ペンタプリズムの内面において反射してファインダに導かれる。このような迷光が存在すると、ファインダ内において被写体像の枠の外側が白っ茶けてしまい、シャッタースピード等の情報が見にくくなる。
【０００４】
本発明は、ファインダ内に迷光が入り込むのを防止し、ファインダ内表示を鮮明にすることを目的としている。
【０００５】
【課題を解決するための手段】
本発明に係るプリズムは、ガラスから成形されたプリズムであって、隣接する面よりも凹陥するとともに壁面が非研磨面である切欠を形成するとともに、壁面に微小プリズムを、透過性の接着剤によって貼付したことを特徴としている。
【０００６】
接着剤は、硬化時に実質的に収縮しないものであることが好ましい。壁面と微小プリズムの間に、例えば透明板が設けられてもよく、この場合、壁面と透明板の端部と微小プリズムによって、溝が形成されることが好ましい。本発明のプリズムは、例えばカメラのファインダ光学系に設けられ、例えばペンタプリズムである。
【０００７】
【発明の実施の形態】
以下、本発明の実施の形態を図面を参照して説明する。
図１は本発明の一実施形態を適用した、一眼レフカメラのペンタプリズム（ペンタゴナルダハプリズム）を示す図であり、このペンタプリズムはガラスから成形される。
【０００８】
ピント板１１はペンタプリズム２０の下面すなわち入射面２１に対向し、接眼光学系１２はペンタプリズム２０の背面に形成された出射面２２に対向している。図示しない撮影光学系によって得られた被写体像はピント板１１に結像され、ペンタプリズム２０の反射面において反射し、出射面２２から出射され、ファインダに導かれる。
【０００９】
図２〜図５に明示するように、ペンタプリズム２０の第３反射面２５の下端部には入射面２１の１辺に沿って延びる切欠２６が形成されている。この切欠２６を構成する第１および第２の壁面２７、２８は相互に直交している。第１の壁面２７は入射面２１に略垂直であり、第２の壁面２８は入射面２１に略平行である。またこれらの壁面２７、２８はすり面（非研磨面）であり、研磨されていない。
【００１０】
第１の壁面２７の一部にはガラス製の透明板３１が接着剤によって接着され、また透明板３１には、微小プリズム３２が接着剤によって接着されている。微小プリズム３２の長さは、図２に示すように切欠２６の長さよりも短く、また微小プリズム３２は第３反射面２５から突出している。第１の壁面２７、透明板３１、微小プリズム３２の各間を接着する接着剤は光透過性を有している。したがって、微小プリズム３２と透明板３１とペンタプリズム２０の各間を接合する面は、透過面である。
【００１１】
なお接着剤は、硬化時に実質的に収縮しないものであることが好ましい。また微小プリズム３２と第２の壁面２８の間には隙間Ｓが形成され、第２の壁面２８には黒い塗料が塗布されている。
【００１２】
液晶表示素子から成る表示部材３３は、ペンタプリズム２０が設けられたカメラ内の所定の位置に設けられる。この表示部材３３の表示面３３ａには、図示しない制御回路の制御により、シャッタースピード等、カメラの動作状態等を示す情報が表示される。表示部材３３の表示面３３ａは、第３反射面２５の上端部に設けられたミラー３４の反射面に対向し、この反射面は微小プリズム３２に対向している。すなわち表示部材３３によって表示された情報の画像はミラー３４と微小プリズム３２において反射し、接眼光学系１２に導かれ、ファインダ内において被写体像の枠の外側にシャッタースピード等の情報が表示される。
【００１３】
ミラー３４は第３反射面２５の上側に隣接する上壁面２９に取り付けられた固定部材３５に、連結板３６を介して接続されている。
【００１４】
図６は、微小プリズム３２が透明板３１を介してペンタプリズム２０に接着される構造を拡大して示している。透明板３１の幅Ｂは、微小プリズム３２の接着面３２ａの高さＨの例えば約６０％であり、また透明板３１の上端３１ａは微小プリズム３２の上端３２ｂよりも下側に位置している。したがって、微小プリズム３２の接着面３２ａと第１の壁面２７と透明板３１の上端３１ａおよび下端３１ｂとにより、溝４１、４２が形成され、これらの溝４１、４２は接着剤の流れ止め効果を奏する。なお第１の壁面２７には、黒い塗料が塗布されている。
【００１５】
以上のように本実施形態では、ペンタプリズム２０の第３反射面２５の下端部に、すり面の壁面２７、２８から成る切欠２６が形成され、第１の壁面２７に、表示部材３３の表示内容を接眼光学系１２に導くための微小プリズム３２が貼着されている。このように切欠２６が形成されていることにより、ペンタプリズム２０内に入射する迷光Ｊの一部は微小プリズム３２内において反射し、ファインダ以外の所に導かれる。また迷光Ｊの残りは第２の壁面２８において遮断される。したがってファインダ内において被写体像の枠の外側は暗くなり、シャッタースピード等の情報が鮮明に表示される。
【００１６】
また本実施形態では、微小プリズム３２は切欠２６内に設けられるので、ペンタプリズム２０の例えば第３反射面２５に貼着される構成と比較して、角部の角度を大きくすることができる。したがって、微小プリズム３２の角部の割れが発生することが防止される。
【００１７】
さらに本実施形態では、微小プリズム３２の接着面３２ａよりも小さい透明板３１を介して微小プリズム３２を第１の壁面２７に貼付しているため、微小プリズム３２を直接ペンタプリズム２０に接着する構成と比較し、微小プリズム３２を大きく成形するとともに、その形状を単純にすることができる。したがって、微小プリズム３２は加工しやすく、その製造コストを抑えることができる。またファインダ内の表示の有効面は透明板３１の面に一致するため、透明板３１の貼付位置を定めることにより、ファインダ内表示の位置を正確に定めることができる。
【００１８】
一方、透明板３１を設けることによって溝４１、４２が形成されているため、ファインダの製造工程において、第１の壁面２７と微小プリズム３２の間に液状の接着剤を保持することができ、微小プリズム３１の接着作業が容易になる。
【００１９】
なお他の実施形態として、微小プリズム３２を合成樹脂によって成形することができ、この場合、微小プリズム３２と透明板３１を一体的に成形することにより、ファインダの製造コストをさらに低減させることができる。
【００２０】
なお、上記実施形態は本発明をペンタプリズムに応用した例であったが、本発明はプリズムの形状に限定されない。
【００２１】
【発明の効果】
以上のように本発明によれば、ファインダ内に迷光が入り込むのを防止し、ファインダ内表示を鮮明にすることができる。
【図面の簡単な説明】
【図１】本発明の一実施形態を適用したペンタプリズムとその周辺の構成を示す部分断面図である。
【図２】ペンタプリズムを示す正面図である。
【図３】ペンタプリズムを斜め上方から見た斜視図である。
【図４】ペンタプリズムを示す背面図である。
【図５】ペンタプリズムを示す側面図である。
【図６】微小プリズムが透明板を介してペンタプリズムに接着される構造を拡大して示す側面図である。
【符号の説明】
２０  ペンタプリズム
２６  切欠
２７  壁面
３２  微小プリズム
【図１】
0003676524.tif 000002
【図２】
0003676524.tif 000003
【図３】
0003676524.tif 000004
【図４】
0003676524.tif 000005
【図５】
0003676524.tif 000006
【図６】
0003676524.tif 000007